(57)【要約】【課題】乗りかごの上部と建屋との間に十分なクリアランスを確保しつつ、周辺装置を制御する制御基板を用いる作業を容易に行わせる。【解決手段】  制御装置１００は、乗りかご４の天井部９２の上面において、上枠８２及び乗りかご４の吊り芯よりも乗降口１２側に設けられている。制御装置１００は、収容部１０２と、プリント基板１１６を備える制御基板１０３と、を有している。収容部１０２の上部には、スイングパネル１１０が回動可能に設けられている。スイングパネル１１０は、制御基板１０３が収容空間２０７に収容される収容位置と、制御基板１０３が収容空間２０７外に位置する露出位置との間を回動する。【選択図】図６
2016000634.tif 000002
【特許請求の範囲】
【請求項１】
少なくとも一つの乗降口が設けられたかご室と、前記かご室に設けられた周辺装置と、を有するエレベーター装置において、
前記かご室の天井を形成する天井部と、
電子部品が実装された実装面を有し、前記周辺装置を制御する制御基板と、
前記天井部の上面における前記乗降口側に設けられ、前記制御基板を収納する収容空間を有する収容部と、
前記収容部に回動可能に設けられ、前記制御基板の実装面とは反対の面を支持する支持部と、を備え、
前記支持部は、前記制御基板が前記収容空間に収容される収容位置と前記制御基板が前記収容空間外に位置する露出位置との間を回動する
エレベーター装置。
【請求項２】
前記支持部が前記収容位置にあるとき、前記支持部は、前記制御基板を前記天井部の上面に対して寝かせた状態で支持する
請求項１に記載のエレベーター装置。
【請求項３】
前記支持部の回動範囲を規制する回動規制部を、備え、
前記回動規制部は、前記支持部が前記収容位置から前記露出位置に回動するときの回動方向における前記支持部の回動を規制する
請求項１又は請求項２に記載のエレベーター装置。
【請求項４】
前記かご室を囲う枠部を、備え、
前記枠部は、前記かご室の上方に位置する上枠を有し、
前記上枠が前記回動規制部を形成する
請求項３に記載のエレベーター装置。
【請求項５】
前記収容部は、前記制御基板と前記周辺装置とを接続する配線を前記収容空間に引き込む引き込み口を有する
請求項１乃至請求項４のいずれか１項に記載のエレベーター装置。
【発明の詳細な説明】
【技術分野】
【０００１】
本発明は、かご室に設けられる各種周辺装置を制御する制御基板を備えるエレベーター装置に関する。
【背景技術】
【０００２】
一般的に、エレベーター装置の乗りかごは、乗客が乗り込むかご室と、かご室を囲むかご枠を有している。また、かご室に設けられる各種周辺装置（例えばドア開閉装置、照明装置、操作盤）を制御する制御基板を備える制御装置を有しており、この制御装置は、かご室外に設けられる。
【０００３】
このようなエレベーター装置において、制御装置を乗りかごの上部に設ける場合に、乗りかごの上部が建屋に接触しないように、乗りかごの上部と建屋との間に十分なクリアランスを確保する必要がある。乗りかごの上部と建屋との間に十分なクリアランスを確保するための技術が特許文献１及び特許文献２に提案されている。
【０００４】
特許文献１には、かご枠における上枠の凹部に、器具ボックス（制御装置）を収納するエレベーターのかご枠が記載されている。
【０００５】
特許文献２には、かご枠における縦枠に取り付けられたベースに取り付けられたエレベーターの器具箱（制御装置）が記載されている。この器具箱は、ベースに、このベースを中心とし、回転可能に取り付けられた蝶番を介して取り付けられている。この器具箱は、エレベーター走行時においては横置きされ（長手方向がベースに平行になるように置かれ）、作業者が器具箱を用いるときは、作業者によって、引き起こされる。
【先行技術文献】
【特許文献】
【０００６】
【特許文献１】特開２００２−３０８５４９号公報
【特許文献２】特開２００２−１２８４２３号公報
【発明の概要】
【発明が解決しようとする課題】
【０００７】
しかし、特許文献１に記載された器具ボックスでは、作業者が器具ボックスに収容された制御基板を用いる作業（例えば周辺装置の動作確認や接続確認などのメンテナンス作業）を行う場合、作業者は、かご室の天井を形成する部材の上面に乗って器具ボックスに近づくことが必要である。このため、周辺装置を制御する制御基板を用いる作業に手間がかかってしまうおそれがある。
【０００８】
また、特許文献２に記載された器具箱では、作業者が器具箱に収容された制御基板を用いるとき、作業者は、横置きされた器具箱全体を引き起こさなければならない。このため、周辺装置を制御する制御基板を用いる作業に手間がかかってしまうおそれがある。
【０００９】
本発明は、上記従来技術の問題点に鑑みてなされたもので、乗りかごの上部と建屋との間に十分なクリアランスを確保しつつ、周辺装置を制御する制御基板を用いる作業を容易に行わせることができるエレベーター装置を提供することを、その目的とする。
【課題を解決するための手段】
【００１０】
上記目的を達成するため、本発明のエレベーター装置は、少なくとも一つの乗降口が設けられたかご室と、かご室に設けられた周辺装置と、を有するエレベーター装置であって、天井部と、制御基板と、収容部と、支持部と、を備える。天井部は、かご室の天井を形成する。制御基板は、電子部品が実装された実装面を有し、周辺装置を制御する。収容部は、天井部の上面における乗降口側に設けられ、制御基板を収納する収容空間を有する。支持部は、収容部に回動可能に設けられ、制御基板の実装面の反対の面を支持する。また、支持部は、制御基板が前記収容空間に収容される収容位置と制御基板が収容空間外に位置する露出位置との間を回動する。
【００１１】
上記構成のエレベーター装置では、周辺装置を制御する制御基板を用いる作業を作業者が行う場合、作業者は収容部に設けられている支持部を収容位置から露出位置に回動する。このとき、支持部が設けられている収容部が乗降口側に設けられているため、作業者は支持部を回動させるために、かご室の天井部の上面に乗る必要がない。すなわち、作業者は建屋のエレベーターホールに居たままで、制御基板を用いる作業を行うことができる。したがって、周辺装置を制御する制御基板を用いる作業を作業者に容易に行わせることができる。
【００１２】
また、作業者は、制御基板を用いる作業を行うにあたって、支持部を回動させればよい。したがって、収容部を回動させる場合に比べて、周辺装置を制御する制御基板を用いる作業を作業者に容易に行わせることができる。
【００１３】
また、支持部は収容位置と露出位置の間を回動するので、収容位置にあるときの（例えばエレベーター装置１の走行時）の支持部に、制御基板を、天井部の上面に対して寝かせた状態で支持させることができる。これによって、走行時において、乗りかごの上部と建屋との間に十分なクリアランスを確保することができる。
【発明の効果】
【００１４】
本発明によれば、乗りかごの上部と建屋との間に十分なクリアランスを確保しつつ、周辺装置を制御する制御基板を用いる作業を容易に行わせることができる。
【図面の簡単な説明】
【００１５】
【図１】本発明の第１の実施形態に係るエレベーター装置の模式図である。
【図２】本発明の第１の実施形態に係るエレベーター装置の乗りかごの斜視図である。
【図３】本発明の第１の実施形態に係るエレベーター装置の乗りかごの上面図である。
【図４】本発明の第１の実施形態に係るエレベーター装置の乗りかごの側面図である。
【図５】図３に示したエレベーター装置のＡ−Ａ線要部断面図である。
【図６】図５に示したエレベーター装置のスイングパネルが収容位置から露出位置に回動した状態を説明する図である。
【図７】本発明の第１の実施形態に係るエレベーター装置の作用を説明するための図である。
【図８】本発明の第２の実施形態に係るエレベーター装置を示す図である。
【発明を実施するための形態】
【００１６】
＜第１の実施形態＞
以下、本発明の第１の実施形態に係るエレベーター装置１について、図１〜図７を参照して説明する。なお、各図において共通の部材には、同一の符号を付している。
【００１７】
＜エレベーター装置１の構成の概要＞
まず、図１を参照して、エレベーター装置１の構成の概要について説明する。
図１は、第１の実施形態に係るエレベーター装置１の模式図である。
【００１８】
図１に示すように、本実施形態のエレベーター装置１は、機械室が設けられていない、いわゆる機械室レスエレベーターである。
エレベーター装置１は、建屋に形成された昇降路３内を昇降可能な乗りかご４と、つり合いおもり５と、これら両者を吊持するロープ６と、ロープ６が巻き掛けられた巻上機７を備えている。なお、以下の説明において、昇降路３の底面を形成する昇降路底面２と水平な水平面上における一方向をＸ方向とし、同水平面上のＸ方向に直交する方向をＹ方向とする。また、Ｘ方向及びＹ方向に直交する方向をＺ方向（上下方向）とする。
【００１９】
巻上機７は、昇降路３内に配置され、ロープ６を駆動して、乗りかご４及び釣り合いおもり５を昇降路内で昇降させる。
【００２０】
次に、図１〜図４を参照して、乗りかご４について説明する。図２は乗りかご４の斜視図であり、図３は乗りかご４の上面図であり、図４は乗りかご４の側面図である。なお、図２〜４においては、後述する上枠８２以外のかご枠８を構成する部材やロープ６などの図示を省略している。
【００２１】
図１に示すように、乗りかご４は、かご枠８とかご室９を有している。
かご室９は、箱状に形成され、内部に乗客を収容する。かご室９は、床を形成する略平板状のかご床９１と、かご床９１に対し上下方向に対向し、天井を形成する略平板状の天井部９２と、を有している。天井部９２は、矩形平板状の複数枚（本実施形態では３枚）の鋼板をつなぎ合わせて形成されている。これらの鋼板は、長手方向がＸ方向に一致するように配置されている。
【００２２】
また、かご室９は、かご床９１の周囲に立設されている略平板状の側壁９３ａ，９３ｂ，９３ｃ，９３ｄを有している。側壁９３ａ，９３ｂは、Ｙ方向に互いに対向している。側壁９３ｃ，９３ｄは、Ｘ方向に互いに対向している。
側壁９３ａには、乗客が乗降する乗降口１２（図１参照）が設けられている。また、側壁９３ａには、周辺装置として、乗降口１２を開閉可能なドア装置９４が設けられている。なお、かご室９には、ドア装置９４の他に、周辺装置として、かご室９内を照らす照明装置や操作盤（不図示）、また後述するオプション装置１１が設けられている。
【００２３】
かご枠８は、図１に示すように、かご室９を囲む略四角枠状の部材であり、下枠８１、上枠８２及び２つの縦枠８３，８３を有している。
下枠８１は、かご床９１の下方でＸ方向に延在し、かご床９１に固定されている。２つの縦枠８３，８３は、下枠８１のＸ方向の両端部から上方へ立設されている。
【００２４】
上枠８２は、天井部９２の上方でＸ方向に延在している。また、上枠８２は、下枠８１に対して、かご室９を介して、上下方向に対向している。上枠８２のＸ方向の両端部は、２つの縦枠８３，８３のそれぞれに固定されている。図４に示すように、上枠８２と天井部９２との間には、所定の間隙が設けられている。
【００２５】
図３に示すように、本実施形態における乗りかご４の吊り芯（図３では２点鎖線で示す）は、Ｙ方向において、かご室９の中心Ｃよりも側壁９３ａ側に設定されている。
【００２６】
図２〜図４に示すように、かご室９の天井部９２の上面には、制御装置１００、２つの補強部材１０，１０、オプション装置１１が設けられている。
【００２７】
補強部材１０，１０は、天井部９２を補強する部材である。また、補強部材１０，１０は、Ｙ方向に所定の距離を空けて配置され、Ｘ方向に沿って延在している。
【００２８】
オプション装置１１とは、例えば喚起装置であり、天井部９２の上面におけるＹ方向の側壁９３ｃ側、すなわち天井部９２の上面において乗降口１２（図１参照）から離れている側の端部に設けられている。
【００２９】
制御装置１００は、かご室９に設けられた周辺装置、すなわち上述のドア装置９４、照明装置、操作盤及びオプション装置１１を制御する装置である。制御装置１００は、取付ブラケット９５を介して、天井部９２の上面において、Ｙ方向の、上枠８２及び乗りかご４の吊り芯（図３の２点鎖線）よりも側壁９３ａ側すなわち乗降口１２（図１参照）側に設けられている。また、制御装置１００は、配線１０１を介して、周辺装置に接続されている。
【００３０】
＜制御装置１００の構成＞
次に、図２〜図６を参照して、制御装置１００の構成について説明する。図５は図３に示したエレベーター装置１のＡ−Ａ線要部断面図であり、図６は図５に示したエレベーター装置の後述するスイングパネル１１０が収容位置から露出位置に回動した状態を説明する図である。
【００３１】
制御装置１００は、収容部１０２と、制御基板１０３と、蓋部１０４と、を有している。図５に示すように、収容部１０２は、上部が開口した略箱状の部材であり、下部に略矩形平板状の底板部１０５と、底板部１０５の周縁から立設する側板部１０６ａ，１０６ｂ，１０６ｃ，１０６ｄを有している。制御装置１００は、底板部１０５の短手方向がＹ方向に一致するように、また、底板部１０５の長手方向がＸ方向に一致するように、配置されている。また、側板部１０６ａ，１０６ｂは、Ｙ方向に互いに対向している。また、側板部１０６ｃ，１０６ｄは、Ｘ方向に互いに対向している。
【００３２】
側板部１０６ａの高さは、側板部１０６ｂの高さよりも後述するスイングパネル１１０の板厚分低く設定されている。
側板部１０６ａの上部には、底板部１０５と平行に側板部１０６ｂ側に向かって延びるパネル受け部１１１が形成されている。また、側板部１０６ｂの上部には、底板部１０５と平行に側板部１０６ａ側に向かって延びる蝶番取付部１１２が形成されている。
【００３３】
収容部１０２は、内部に制御基板１０３を収容する収容空間１０７を有している。また、収容部１０２の側板部１０６ｃには、収容空間１０７に配線１０１を引き込むための引き込み口１０８（図４参照）が形成されている。収容空間１０７内の配線１０１の長さは、後述するようにスイングパネル１１０が回動する際に配線１０１に過度なストレスがかからないように、十分な長さに設定されている。
【００３４】
収容部１０２の上部には、蝶番１０９を介して略矩形平板状のスイングパネル１１０が収容部１０２に対して回動可能に設けられている。蝶番１０９は、側板部１０６ｂの蝶番取付部１１２に、蝶番１０９の回動軸がＸ方向に沿って延在するように設けられている。
【００３５】
スイングパネル１１０は、収容部１０２の上部に形成されている開口を塞ぐことが可能な大きさに形成されている。スイングパネル１１０の短手方向の一端部は、蝶番１０９に固定されている。スイングパネル１１０の短手方向の他端部が、パネル受け部１１１に当接すると、スイングパネル１１０は、収容部１０２の上部に形成されている開口を塞ぐ。上述のとおり、側板部１０６ａの高さは側板部１０６ｂの高さよりもスイングパネル１１０の板厚分低く設定されている。このため、スイングパネル１１０が収容部１０２の開口を塞ぐとき、スイングパネル１１０を底板部１０５と平行に、且つ、スイングパネル１１０の高さをＹ方向に亘って等しくすることができる。
【００３６】
収容部１０２の開口を塞いでいる状態のスイングパネル１１０における底板部１０５の上面に対して上下方向に対向する面（図５におけるスイングパネル１１０の下面）には、スペーサ１１３を介して制御基板１０３が固定（支持）されている。
【００３７】
制御基板１０３は、制御用入出力用コネクタ１１４、制御素子１１５及びこれらが実装されるプリント基板１１６によって構成される。制御基板１０３は、配線１０１を介して、周辺装置に接続されており、周辺装置を制御する。
【００３８】
スイングパネル１１０が収容部１０２の開口を塞いでいるとき、制御基板１０３は、収容空間１０７に収容されている。以下の説明において、スイングパネル１１０が収容部１０２の開口を塞いでいるときのスイングパネル１１０の位置を収容位置と称する場合がある。
【００３９】
収容位置にあるスイングパネル１１０は、プリント基板１１６と底板部１０５とが、上下方向に所定の距離を空けて平行になるように、制御基板１０３を、支持する。また、スイングパネル１１０は、制御基板１０３を、天井部９２の上面に対して寝かせた状態で支持する。また、スイングパネル１１０は、制御基板１０３の実装面が、底板部１０５の上面に対して上下方向に対向するように、制御基板１０３を支持する。
【００４０】
図６に示すように、スイングパネル１１０が、蝶番１０９の回転軸を中心に収容部の上方を回動すると、制御基板１０３が収容空間１０７の外部に位置して露出する。
【００４１】
スイングパネル１１０が、収容位置から制御基板１０３が露出する方向に回動するときの回動方向（図６に円弧状の矢印で示す）に、所定量回動すると、スイングパネル１１０は上枠８２に当接する。以下の説明において、スイングパネル１１０が上枠８２に当接する位置を露出位置と称する場合がある。すなわち、スイングパネル１１０が収容位置から露出位置に回動するときのスイングパネル１１０の回動は、上枠８２によって規制される。
【００４２】
スイングパネル１１０が露出位置にあるとき、制御基板１０３の実装面と反対の面が、スイングパネル１１０を介して、天井部９２の上面と上下方向に対向する。
【００４３】
制御装置１００の設置場所は、上枠８２によって、スイングパネル１１０の回動が規制されたときに、天井部９２の上面と水平な水平面に対して、スイングパネル１１０が、作業者による作業に好適な所定の角度で傾斜するように設定される。
【００４４】
蓋部１０４は、下部が開口した略四角箱状（図２参照）の部材である。蓋部１０４の開口に収容部１０２の上部が下方から挿入されて嵌合すると、蓋部１０４は収容部１０２の上部を覆う。
【００４５】
＜エレベーター装置１の作用＞
次に、図７を参照して、エレベーター装置１の作用について説明する。図７は、エレベーター装置１の作用を説明する図である。なお、図７においては、上枠８２以外のかご枠８を構成する部材やロープ６などの図示を省略している。
【００４６】
エレベーター装置１において制御基板１０３を用いる作業（例えば周辺装置の動作確認や接続確認などのメンテナンス作業）を作業者が行う場合、作業者は、まず、エレベーター装置１が設置されている建屋のホールＨから制御装置１００に手が届くように、乗りかご４の高さを調整する。
【００４７】
次に、作業者は、収容部１０２の上部に嵌合している蓋部１０４（図７では不図示）を外す。次に、作業者は、スイングパネル１１０の短手方向における乗降口１２側（ドア装置９４側）の端部を把持して、スイングパネル１１０を収容位置から露出位置へ回動させる。そして、作業者は、周辺装置の動作確認や接続確認を行う。
【００４８】
本実施形態におけるエレベーター装置１では、制御基板１０３を支持するスイングパネル１１０が設けられている収容部１０２が乗降口１２側に設けられている。したがって、作業者はスイングパネル１１０を回動させるために、かご室９の天井部９２の上面に乗る必要がない。すなわち、作業者は建屋のエレベーターホールＨに居たままで、制御基板１０３を用いる作業を行うことができる。したがって、作業者に制御基板１０３を用いる作業を容易に行わせることができる。
【００４９】
また、作業者は、制御基板１０３を用いる作業を行うにあたって、スイングパネル１１０を回動させればよい。したがって、収容部１０２を回動させる場合に比べて作業者に容易に制御基板１０３を用いる作業を行わせることができる。
【００５０】
また、スイングパネル１１０が収容位置にあるとき（例えばエレベーター装置１の走行時）は、スイングパネル１１０は、制御基板１０３を、天井部９２の上面に対して寝かせた状態で支持する。このため、走行時において、乗りかご４の上部と建屋との間に十分なクリアランスを確保することができる。
【００５１】
また、スイングパネル１１０が収容位置から露出位置に回動するときの回動方向におけるスイングパネル１１０の回動を、上枠８２が規制するので、スイングパネル１１０が過度に回動することを抑制することができる。また、上枠８２は、スイングパネル１１０が作業者の作業に好適な角度で傾斜するように、スイングパネル１１０の回動を規制するので、制御基板１０３を用いる作業の効率が増加する。また、回動を規制するための部材を別途設ける必要がないため、エレベーター装置１の製造コストの増加及び製造作業の複雑化を抑制することができる。
【００５２】
また、収容部１０２の側板部１０６ｃには、収容空間１０７に配線１０１を引き込むための引き込み口１０８（図４参照）が形成されており、収容空間１０７内の配線１０１の長さは、スイングパネル１１０が回動する際に配線１０１に過度なストレスがかからないように、十分な長さに設定されている。このため、スイングパネル１１０の回動を原因とする配線１０１の断線などの接続不良の発生を抑制することができる。
【００５３】
また、スイングパネル１１０が収容位置にあるとき、制御基板１０３の実装面は、収容部１０２の底板部１０５に対して上下方向に対向している。すなわち、制御基板１０３の実装面が下方に向いているため、制御基板１０３の実装面が上方に向いている場合に比べて、制御基板１０３の実装面に塵埃が付着、蓄積することを抑制することができる。
【００５４】
＜第２の実施形態＞
次に、図８を参照して、本発明の第２の実施形態について説明する。
図８は、本発明の第２の実施形態に係るエレベーター装置を示す図である。第２の実施形態に係るエレベーター装置は、収容部１０２に代えて収容部２０２を有している。なお、以下の説明において、第１の実施形態と重複する部材については同一の符号を付し、その詳細な説明を省略する。
【００５５】
収容部２０２は、上部が開口した略箱状の部材であり、下部に略矩形平板状の底板部２０５と、底板部２０５の周縁から立設する側板部２０６ａ，２０６ｂ，２０６ｃ，２０６ｄを有している。また、収容部２０２は、内部に収容空間を有している（不図示）。
【００５６】
側板部２０６ａ，２０６ｂは、Ｙ方向に互いに対向している。また、側板部２０６ｃ，２０６ｄは、Ｘ方向に互いに対向している。側板部２０６ａの上部には、蝶番１０９を介して、スイングパネル１１０が回動可能に設けられている。側板部２０６ｃには、収容空間に配線１０１を引き込むための引き込み口２０８が形成されている。収容空間内の配線１０１の長さは、スイングパネル１１０が回動する際に配線１０１に過度なストレスがかからないように、十分な長さに設定されている。
【００５７】
このような収容部２０２を設けた場合、作業者は制御基板１０３を用いる作業を行う際、作業者は、スイングパネル１１０を、図８に円弧状の矢印で示す方向に回動させ、すなわち、収容位置から露出位置に回動させる。
【００５８】
このような収容部２０２を設けたエレベーター装置では、第１の実施形態におけるエレベーター装置１と同様の作用効果を奏することができる。なお、本実施形態では、スイングパネル１１０が収容位置から露出位置へ回動するときのスイングパネル１１０の回動は、かご室９の天井部９２の上面が規制する。
【００５９】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００６０】
また、第１及び第２の実施形態では、かご室９に、一つの乗降口１２（図１参照）が設けられている場合を説明したが、乗降口を複数（例えば２つ）設けてもよい。この場合、天井部９２の上面において、いずれかの乗降口の近傍に、制御装置１００を設ければよい。
【符号の説明】
【００６１】
１…エレベーター装置、  ４…乗りかご、  ８…かご枠（枠部）、  ９…かご室、  １１…オプション装置（周辺装置）、  １２…乗降口、  ８２…上枠（回動規制部）、  ９２…天井部、  ９３ａ，９３ｂ，９３ｃ，９３ｄ…側壁、  ９４…ドア装置（周辺装置）、  １００…制御装置、  １０１…配線、  １０２…収容部、  １０３…制御基板、  １０４…蓋部、  １０５…底板部、  １０６ａ，１０６ｂ，１０６ｃ，１０６ｄ…側板部、  １０７…収容空間、  １０８…引き込み口、  １０９…蝶番、  １１０…スイングパネル（支持部）
【図１】
2016000634.tif 000003
【図２】
2016000634.tif 000004
【図３】
2016000634.tif 000005
【図４】
2016000634.tif 000006
【図５】
2016000634.tif 000007
【図６】
2016000634.tif 000008
【図７】
2016000634.tif 000009
【図８】
2016000634.tif 000010